(57)【特許請求の範囲】
【請求項１】
振動を計測する振動計測装置であって、
特定の振動を検出するためのトリガとなる振動レベルであるトリガレベルを記憶するトリガレベル記憶手段と、
前記特定の振動を検出するためのパターンであって振動レベルを時系列順に表わしたパターンであるトレンドデータを記憶するトレンド記憶手段と、
振動レベルを時系列的に測定する測定手段と、
前記測定手段によって測定された振動レベルを時系列順に測定データ記憶手段に記憶させる測定データ記憶制御手段と、
画像を表示する表示手段と、
前記測定手段によって測定された測定データを前記表示手段に表示するための制御を行う表示制御手段と、
前記表示制御手段によって前記表示手段に表示された画像であって前記測定データに対応する測定データ画像を形成するポイントのうち特定のポイントの指定を受け付けるポイント指定受付手段と、
前記ポイント指定受付手段が受け付けたポイントに対応する前記測定データの値であるトリガレベルを前記トリガレベル記憶手段に記憶させるトリガレベル記憶制御手段と、
前記測定データ画像のうちの部分範囲の指定を受け付ける範囲指定受付手段と、
前記範囲指定受付手段が受け付けた部分範囲に対応する前記測定データであるトレンドデータを前記トレンド記憶手段に記憶させるトレンドデータ記憶制御手段と、
前記トリガレベル記憶手段に記憶された前記トリガレベルと、前記トレンド記憶手段に記憶された前記トレンドデータとに基づいて、前記測定データから特定の振動を検出する振動検出手段と、
を備える振動計測装置。
【請求項２】
請求項１に記載の振動計測装置が実行する方法であって、
前記測定手段が、振動レベルを時系列的に測定する測定ステップと、
前記測定データ記憶制御手段が、前記測定ステップによって測定された振動レベルを時系列順に測定データ記憶手段に記憶させる測定データ記憶制御ステップと、
前記表示制御手段が、前記測定ステップによって測定された測定データを表示手段に表示するための制御を行う表示制御ステップと、
前記ポイント指定受付手段が、前記表示制御ステップによって前記表示手段に表示された画像であって前記測定データに対応する測定データ画像を形成するポイントのうち特定のポイントの指定を受け付けるポイント指定受付ステップと、
前記トリガレベル記憶制御手段が、前記ポイント指定受付ステップが受け付けたポイントに対応する前記測定データの値であるトリガレベルを前記トリガレベル記憶手段に記憶させるトリガレベル記憶制御ステップと、
前記範囲指定受付手段が、前記測定データ画像のうちの部分範囲の指定を受け付ける範囲指定受付ステップと、
前記トレンドデータ記憶制御手段が、前記範囲指定受付ステップが受け付けた部分範囲に対応する前記測定データであるトレンドデータを前記トレンド記憶手段に記憶させるトレンドデータ記憶制御ステップと、
前記振動検出手段が、前記トリガレベル記憶手段に記憶された前記トリガレベルと、前記トレンド記憶手段に記憶された前記トレンドデータとに基づいて、前記測定データから特定の振動を検出する振動検出ステップと、
を備える方法。
【発明の詳細な説明】
【技術分野】
【０００１】
本発明は、振動計測装置及び方法に関する。
【背景技術】
【０００２】
従来より、騒音や振動等の物理量を計測する振動計測装置は、計測した膨大なデータをメモリに記憶しながら表示装置に表示したり、基準値と比較して比較した結果をユーザに知らせたりしている。
【０００３】
このような装置として、長時間のデータ集録をする場合であっても、データの量が膨大となることがなく、尚かつ測定期間中に発生した事象については詳細なデータを集録することができるデータ集録装置を提供する特許文献１が知られている。
特許文献１に開示されたデータ集録装置は、入力信号を高速サンプリングするとともに、これを一定期間分格納する領域を有したメモリに当該入力信号の最新データを時間経過の順に格納し、サンプリングされた入力信号のデータを所定の間隔で読み出してこれをカレントデータとしてメモリに格納するとともに、予め設定されたトリガ条件に基づいて、メモリの領域に格納されたデータをイベントデータとして保持し、カレントデータに基づいて入力信号の全体波形を表示する第１の表示領域と、イベントデータに基づいて入力信号の波形の一部分を表示する第２の表示領域とを設けている。
【先行技術文献】
【特許文献】
【０００４】
【特許文献１】特開２００７−２４８３８号公報
【発明の概要】
【発明が解決しようとする課題】
【０００５】
しかしながら、特許文献１では、例えば一定期間、又は次のトリガ信号が発生するまでをトリガ条件としている。このようなトリガ条件の場合、例えば、計測した物理量を波形として比較すると、波形の立ち上がり方や立ち下がり方が異なる波形であっても、イベントデータとして保持してしまう。波形の異なるデータを区別するには、トリガ条件をさらに詳細に設定する必要があるが、測定対象ごとに騒音レベルや振動レベルが異なるデータから、特定の波形によって示される一定の現象だけを検出するように、トリガ条件等を設定することは容易ではない。
【０００６】
そこで、騒音や振動の計測において、一定の現象だけを検出することが容易にできるような設定環境をユーザに提供することができる装置及び方法が求められている。
【０００７】
本発明は、騒音や振動の計測において、一定の現象だけを検出することが容易にできるような設定環境をユーザに提供することができる振動計測装置及び方法を提供することを目的とする。
【課題を解決するための手段】
【０００８】
本発明では、以下のような解決手段を提供する。
（１）  振動を計測する振動計測装置であって、特定の振動を検出するためのトリガとなる振動レベルであるトリガレベルを記憶するトリガレベル記憶手段と、前記特定の振動を検出するためのパターンであって振動レベルを時系列順に表わしたパターンであるトレンドデータを記憶するトレンド記憶手段と、振動レベルを時系列的に測定する測定手段と、前記測定手段によって測定された振動レベルを時系列順に測定データ記憶手段に記憶させる測定データ記憶制御手段と、画像を表示する表示手段と、前記測定手段によって測定された測定データを前記表示手段に表示するための制御を行う表示制御手段と、前記表示制御手段によって前記表示手段に表示された画像であって前記測定データに対応する測定データ画像を形成するポイントのうち特定のポイントの指定を受け付けるポイント指定受付手段と、前記ポイント指定受付手段が受け付けたポイントに対応する前記測定データの値であるトリガレベルを前記トリガレベル記憶手段に記憶させるトリガレベル記憶制御手段と、前記測定データ画像のうちの部分範囲の指定を受け付ける範囲指定受付手段と、前記範囲指定受付手段が受け付けた部分範囲に対応する前記測定データであるトレンドデータを前記トレンド記憶手段に記憶させるトレンドデータ記憶制御手段と、前記トリガレベル記憶手段に記憶された前記トリガレベルと、前記トレンド記憶手段に記憶された前記トレンドデータとに基づいて、前記測定データから特定の振動を検出する振動検出手段と、を備える振動計測装置。
【０００９】
（１）の構成によれば、本発明に係る振動計測装置は、測定した振動レベルを時系列順に測定データ記憶手段に記憶させ、表示手段に表示された測定データ画像を形成するポイントのうち特定のポイントの指定を受け付け、受け付けたポイントに対応する測定データの値であるトリガレベルをトリガレベル記憶手段に記憶させ、さらに測定データ画像のうちの部分範囲の指定を受け付け、受け付けた部分範囲に対応する測定データであるトレンドデータをトレンド記憶手段に記憶させ、トリガレベルと、トレンドデータとに基づいて、測定データから特定の振動を検出する。
【００１０】
したがって、本発明に係る振動計測装置は、表示された測定データ画像を介してトリガレベルやトレンドデータを設定できるので、騒音や振動の計測において、一定の現象だけを検出することが容易にできるような設定環境をユーザに提供することができる。
【００１１】
（２）  （１）に記載の振動計測装置が実行する方法であって、前記測定手段が、振動レベルを時系列的に測定する測定ステップと、前記測定データ記憶制御手段が、前記測定ステップによって測定された振動レベルを時系列順に測定データ記憶手段に記憶させる測定データ記憶制御ステップと、前記表示制御手段が、前記測定ステップによって測定された測定データを表示手段に表示するための制御を行う表示制御ステップと、前記ポイント指定受付手段が、前記表示制御ステップによって前記表示手段に表示された画像であって前記測定データに対応する測定データ画像を形成するポイントのうち特定のポイントの指定を受け付けるポイント指定受付ステップと、前記トリガレベル記憶制御手段が、前記ポイント指定受付ステップが受け付けたポイントに対応する前記測定データの値であるトリガレベルを前記トリガレベル記憶手段に記憶させるトリガレベル記憶制御ステップと、前記範囲指定受付手段が、前記測定データ画像のうちの部分範囲の指定を受け付ける範囲指定受付ステップと、前記トレンドデータ記憶制御手段が、前記範囲指定受付ステップが受け付けた部分範囲に対応する前記測定データであるトレンドデータを前記トレンド記憶手段に記憶させるトレンドデータ記憶制御ステップと、前記振動検出手段が、前記トリガレベル記憶手段に記憶された前記トリガレベルと、前記トレンド記憶手段に記憶された前記トレンドデータとに基づいて、前記測定データから特定の振動を検出する振動検出ステップと、を備える方法。
【００１２】
したがって、本発明に係る方法は、騒音や振動の計測において、表示された測定データ画像を介してトリガレベルやトレンドデータを設定できるので、一定の現象だけを検出することが容易にできるような設定環境をユーザに提供することができる。
【発明の効果】
【００１３】
本発明によれば、騒音や振動の計測において、一定の現象だけを検出することが容易にできるような設定環境をユーザに提供することができる。また、本発明によれば、騒音レベルや振動レベルを測定しながらトレンドをディスプレイに表示し、表示されたトレンドからリアルタイムに現象を確認しながら、トリガを設定したいポイントを設定することができる。さらに、トリガの前後のパターンも前後のデータから判断して設定することもできる。
【図面の簡単な説明】
【００１４】
【図１】本発明の一実施形態である振動計測装置の機能構成を示すブロック図である。
【図２】本発明の一実施形態である振動計測装置のトリガレベルＤＢを示す図である。
【図３】本発明の一実施形態である振動計測装置のトレンドＤＢを示す図である。
【図４】本発明の一実施形態である振動計測装置の測定データＤＢを示す図である。
【図５】本発明の一実施形態である振動計測装置の例を示す図である。
【図６】本発明の一実施形態である振動計測装置の表示装置に測定データが表示されていることを示す図である。
【図７】本発明の一実施形態である振動計測装置が、表示装置に表示された測定データ画像を介して、ポイントの指定や範囲の指定を受け付けていることを示す図である。
【図８】本発明の一実施形態に係る振動計測装置の処理内容を示すフローチャートである。
【図９】本発明の一実施形態に係る振動計測装置が特定の音を検出する例を説明するための図である。
【図１０】本発明の一実施形態に係る振動計測装置が別の特定の音を検出する例を説明するための図である。
【図１１】本発明の一実施形態に係る振動計測装置のハードウェア構成の一例を示す図である。
【発明を実施するための形態】
【００１５】
以下、本発明の実施形態について図を参照しながら説明する。図１は、本発明の一実施形態である振動計測装置３０の機能構成を示すブロック図である。図２は、本発明の一実施形態である振動計測装置３０のトリガレベルＤＢ５１を示す図である。図３は、本発明の一実施形態である振動計測装置３０のトレンドＤＢ５２を示す図である。図４は、本発明の一実施形態である振動計測装置３０の測定データＤＢ５３を示す図である。図５は、本発明の一実施形態である振動計測装置３０の例を示す図である。図６は、本発明の一実施形態である振動計測装置３０の表示装置５０８に測定データが表示されていることを示す図である。図７は、本発明の一実施形態である振動計測装置３０が、表示装置５０８に表示された測定データ画像を介して、ポイントの指定や範囲の指定を受け付けていることを示す図である。これらの図を参照しながら、図１について説明する。
【００１６】
振動計測装置３０は、トリガレベルＤＢ５１と、トレンドＤＢ５２と、測定データＤＢ５３と、測定部３１と、測定データ記憶制御部３２と、表示制御部３３と、ポイント指定受付部３４と、トリガレベル記憶制御部３５と、範囲指定受付部３６と、トレンドデータ記憶制御部３７と、振動検出部３８とを備える。振動計測装置３０は、図５に示すように、表示装置５０８と操作部５０９とを備えている。以下、各部について詳述する。
【００１７】
トリガレベルＤＢ５１は、特定の振動を検出するためのトリガとなる振動レベルであるトリガレベルを記憶する。
【００１８】
トレンドＤＢ５２は、特定の振動を検出するためのパターンであって振動レベルを時系列順に表わしたパターンであるトレンドデータを記憶する。
【００１９】
測定部３１は、振動レベルを時系列的に測定する。具体的には、測定部１１は、振動ピックアップによって振動の加速度に比例した電圧信号を検出し、アナログの振動加速度の信号を生成し、Ａ／Ｄ変換器により、例えば、１サンプルごとに２４ｂｉｔのデジタルの振動加速度データ（単位：ｍ／ｓ２）に変換する。次に、測定部１１は、振動加速度データに対し実効値演算処理を行い、求めた実効値と基準加速度（例えばＪＩＳの場合１０−５ｍ／ｓ２）との比を求めレベル化した振動レベル（単位：ｄＢ）のデータを生成する。
【００２０】
測定データ記憶制御部３２は、測定部３１によって測定された振動レベルを時系列順に測定データＤＢ５３に記憶させる。具体的には、測定データ記憶制御部３２は、図４に示すような測定データＤＢ５３を作成する。測定データＤＢ５３は、図４に示す様に、相対的な測定時刻と生成されたレベル値とを対応付けて記憶している。また、測定データＤＢ５３は、後述する振動検出部３８によって算出された差分を記憶している。
【００２１】
表示装置５０８は、画像を表示する。具体的には、表示装置５０８は、液晶表示装置等のディスプレイ装置であり、例えば、高機能騒音計の場合、白色バックライト付き３．５インチ液晶表示器等である。
【００２２】
表示制御部３３は、測定部によって測定された測定データを表示装置５０８に表示するための制御を行う。具体的には、表示制御部３３は、図６に示すように、横軸が時間、縦軸が振動レベル値になるように、測定データを表示装置５０８に表示させる。
【００２３】
ポイント指定受付部３４は、表示制御部３３によって表示部に表示された画像であって測定データに対応する測定データ画像を形成するポイントのうち特定のポイントの指定を受け付ける。具体的には、図７に示すように、ユーザが操作部５０９の対応するキーを操作して、レベルカーソル２２１と時間カーソル２２２とを移動させて、特定のポイントにレベルカーソル２２１と時間カーソル２２２との交点を合わせ、操作部５０９の対応するキーを押下して指定すると、ポイント指定受付部３４は、そのポイントを指定されたポイントとして受け付ける。
【００２４】
トリガレベル記憶制御部３５は、ポイント指定受付部３４が受け付けたポイントに対応する測定データの値であるトリガレベルをトリガレベルＤＢ５１に記憶させる。具体的には、トリガレベル記憶制御部３５は、ポイント指定受付部３４によって受け付けられたポイントの値が、測定データ内の前後の値の変化から判断して、立ち上がりポイントか立ち下がりポイントかを判断し、図２に示すように、立ち上がりポイントか立ち下がりポイントかの情報に対応付けて、指定されたポイントの測定値を記憶させる。
【００２５】
範囲指定受付部３６は、測定データ画像のうちの部分範囲の指定を受け付ける。具体的には、図７に示すように、ユーザが操作部５０９の対応するキーを操作して、レベルカーソル２２１と時間カーソル２２２とを移動させて、開始のポイントにレベルカーソル２２１と時間カーソル２２２との交点を合わせ、操作部５０９の対応するキーを押下し、次に、同様に、レベルカーソル２２１と時間カーソル２２２とを移動させて、終了のポイントにレベルカーソル２２１と時間カーソル２２２との交点を合わせ、操作部５０９の対応するキーを押下して指定すると、範囲指定受付部３６は、その開始ポイントと終了ポイントとの範囲を指定された範囲として受け付ける。
【００２６】
トレンドデータ記憶制御部３７は、範囲指定受付部３６が受け付けた部分範囲に対応する測定データであるトレンドデータをトレンドＤＢ５２に記憶させる。具体的には、トレンドデータ記憶制御部３７は、範囲指定受付部３６によって受け付けられた範囲の測定データを、範囲内の測定値の変化から判断して、立ち上がりのパターンか立ち下がりのパターンかを判断し、図３に示すように、立ち上がりのパターンか立ち下がりのパターンかの情報に対応付けて、範囲内の測定値を記憶させる。さらに、トレンドデータ記憶制御部３７は、範囲内の測定値の変化から判断して、凸部のパターンや凹部のパターンの情報に対応付けて範囲内の測定値を記憶させてもよい。
【００２７】
振動検出部３８は、トリガレベルＤＢ５１に記憶されたトリガレベルと、トレンドＤＢ５２に記憶されたトレンドデータとに基づいて、測定データから特定の振動を検出する。具体的には、振動検出部３８は、測定データとトリガレベルとの差が所定の範囲内の場合に、トリガレベルと判断し、測定データとトレンドデータとの比較を行い、それぞれの測定データとトレンドデータとの差分を評価して、測定パターンとトレンドデータのパターンとが一致するか否かを判定し、一致すると判定した場合にその測定パターンを特定の振動として検出する。例えば、振動検出部３８は、それぞれの差分が一定の閾値内である場合に、一致すると判定したり、それぞれの差分の平均値が一定の閾値内である場合に、一致すると判定するとしてもよい。
【００２８】
さらに、振動検出部３８は、立ち上がりポイントを検出し、立ち上がりポイントにおいてトレンドデータと比較して立ち上がりパターンを検出することによって特定の振動を検出するとしてもよい。同様に、振動検出部３８は、立ち下がりポイントを検出し、立ち下がりポイントにおいてトレンドデータと比較して立ち下がりパターンを検出することによって特定の振動を検出したり、立ち上がりポイントと立ち下がりポイントとを検出することによって特定の振動を検出したりするとしてもよい。
立ち上がりポイント及び立ち下がりポイントは、測定部３１によって測定された振動レベルと、トリガレベルＤＢ５１に記憶されたトリガレベルとを比較し、当該測定された振動レベルがトリガレベルよりも低いレベルから高いレベルになっているか否かにより、検出される。
【００２９】
振動検出部３８は、特定の振動を検出した場合に、検出したことを示すメッセージや音等を出力するとしてもよい。
【００３０】
図８は、本発明の一実施形態に係る振動計測装置３０の処理内容を示すフローチャートである。
【００３１】
ステップＳ１１において、振動計測装置３０（測定部３１、測定データ記憶制御部３２）は、振動を測定し、測定データを測定データＤＢ５３に記憶させる。その後、振動計測装置３０は、処理をステップＳ１２に移す。
【００３２】
ステップＳ１２において、振動計測装置３０（表示制御部３３、振動検出部３８）は、測定データを表示し、特定の振動を検出するための処理を行う。その後、振動計測装置３０は、処理をステップＳ１３に移す。
【００３３】
ステップＳ１３において、振動計測装置３０（表示制御部３３）は、表示停止が指示されたか否かを判断する。より具体的には、振動計測装置３０は、操作部５０９の表示停止に対応するキーが押下されたか否かを判断する。この判断がＹＥＳの場合、振動計測装置３０は、処理をステップＳ１４に移し、この判断がＮＯの場合、振動計測装置３０は、処理をステップＳ１１に移す。
【００３４】
ステップＳ１４において、振動計測装置３０（表示制御部３３）は、拡大表示が指示されたか否かを判断する。より具体的には、振動計測装置３０は、操作部５０９の拡大表示に対応するキーが押下されたか否かを判断する。この判断がＹＥＳの場合、振動計測装置３０は、処理をステップＳ１８に移し、この判断がＮＯの場合、振動計測装置３０は、処理をステップＳ１５に移す。
【００３５】
ステップＳ１５において、振動計測装置３０（表示制御部３３）は、ポイント指定がされたか否かを判断する。より具体的には、振動計測装置３０は、操作部５０９のポイント指定に対応するキーが押下されたか否かを判断する。この判断がＹＥＳの場合、振動計測装置３０は、処理をステップＳ１９に移し、この判断がＮＯの場合、振動計測装置３０は、処理をステップＳ１６に移す。
【００３６】
ステップＳ１６において、振動計測装置３０（表示制御部３３）は、範囲指定がされたか否かを判断する。より具体的には、振動計測装置３０は、操作部５０９の範囲指定に対応するキーが押下されたか否かを判断する。この判断がＹＥＳの場合、振動計測装置３０は、処理をステップＳ２０に移し、この判断がＮＯの場合、振動計測装置３０は、処理をステップＳ１７に移す。
【００３７】
ステップＳ１７において、振動計測装置３０（表示制御部３３）は、表示再開指定がされたか否かを判断する。より具体的には、振動計測装置３０は、操作部５０９の表示再開指定に対応するキーが押下されたか否かを判断する。この判断がＹＥＳの場合、振動計測装置３０は、処理をステップＳ１１に移し、この判断がＮＯの場合、振動計測装置３０は、処理をステップＳ１４に移す。
【００３８】
ステップＳ１８において、振動計測装置３０（表示制御部３３）は、測定データの表示を拡大させる。その後、振動計測装置３０は、処理をステップＳ１７に移す。
【００３９】
ステップＳ１９において、振動計測装置３０（ポイント指定受付部３４、トリガレベル記憶制御部３５）は、指定されたポイントをトリガレベルＤＢ５１に記憶させる。より具体的には、振動計測装置３０は、操作部５０９のカーソル移動に対応するキーを受け付けて、カーソル２２１，２２２を移動させ、操作部５０９のポイント指定に対応するキーを受け付けて、受け付けたポイントの値が、測定データ内の前後の値の変化から判断して、立ち上がりポイントか立ち下がりポイントかを判断し、立ち上がりポイントか立ち下がりポイントかの情報に対応付けて、指定されたポイントの測定値をトリガレベルＤＢ５１に記憶させる。その後、振動計測装置３０は、処理をステップＳ１７に移す。
【００４０】
ステップＳ２０において、振動計測装置３０（範囲指定受付部３６、トレンドデータ記憶制御部３７）は、指定された範囲をトレンドＤＢ５２に記憶させる。より具体的には、振動計測装置３０は、操作部５０９のカーソル移動に対応するキーを受け付けて、カーソル２２１，２２２を移動させて、操作部５０９の開始のポイント指定に対応するキーを受け付け、次に、同様に、カーソル２２１，２２２を移動させて、操作部５０９の終了のポイント指定に対応するキーを受け付けて、その開始ポイントと終了ポイントとの範囲を指定された範囲として受け付け、範囲内の測定値の変化から判断して、立ち上がりのパターンか立ち下がりのパターンかを判断し、立ち上がりのパターンか立ち下がりのパターンかの情報に対応付けて、範囲内の測定値をトレンドＤＢ５２に記憶させる。その後、振動計測装置３０は、処理をステップＳ１７に移す。
【００４１】
図９は、本発明の一実施形態に係る振動計測装置３０が特定の音を検出する例を説明するための図である。図９（１）は、音の波形を示す図である。図９（２）は、図９（１）で示された音を振動計測装置３０によって測定した場合の波形を示す図である。図９（１）のような音がある場合、トリガレベル１０１以上の音を検出することにすると、音２０１も音２０２も検出されるが、トリガレベルＤＢ５１にトリガレベル１０１の値が記憶され、トレンドＤＢ５２にトレンドデータ３０１が記憶されていると、振動計測装置３０は、立ち上がりポイント４０１を検出後、トレンドデータ３０１と比較することにより、音２０２のみを検出することができる。
【００４２】
図１０は、本発明の一実施形態に係る振動計測装置３０が別の特定の音を検出する例を説明するための図である。図１０（１）は、音の波形を示す図である。図１０（２）は、図１０（１）で示された音を振動計測装置３０によって測定した場合の波形を示す図である。トリガレベルＤＢ５１に立ち上がりトリガレベル１１１、立ち下がりトリガレベル１１２の値が記憶され、トレンドＤＢ５２に立ち上がりポイントでのトレンドデータ３１１と、立ち下がりポイントでのトレンドデータ３１２と、が記憶されていると、振動計測装置３０は、立ち上がりポイント４１１においてトレンドデータ３１１と比較し、立ち下がりポイント４１２においてトレンドデータ３１２と比較することにより、音２１１のみを検出することができる。
【００４３】
図１１は、本発明の一実施形態に係る振動計測装置３０のハードウェア構成の一例を示す図である。
【００４４】
振動計測装置３０は、マイクロフォン５０１によって音の信号を検出し、プリアンプ５０２で電圧に変換し、アナログの音圧の信号を生成し、Ａ／Ｄ変換器５０３によってデジタルの音圧データ（単位：Ｐａ）に変換する。例えば、Ａ／Ｄ変換器５０３は、所定のサンプリング周波数である６４ｋＨｚの周期でサンプリングを行い、１サンプルごとに２４ｂｉｔのデジタルの音圧データ（単位：Ｐａ）に変換する。ＤＳＰ（Ｄｉｇｉｔａｌ  Ｓｉｇｎａｌ  Ｐｒｏｃｅｓｓｏｒ）５０４は、実効値演算処理を行ってデジタルの音圧データから実効値を求め、求めた実効値と基準音圧（２０μＰａ）との比を求めレベル化した音圧レベル（単位：ｄＢ）のデータを生成する。次に、ＤＳＰ５０４は、生成した音圧レベルのデータと、ＲＡＭ５０６に記憶されたトリガレベルのデフォルト値や、トレンドデータのデフォルト値等とを比較する処理（例えば、図８に示した処理）を実行し、特定のパターンを検出する。ＣＰＵ（Ｃｅｎｔｒａｌ  Ｐｒｏｃｅｓｓｉｎｇ  Ｕｎｉｔ）５０５は、ＤＳＰの検出に基づいて、表示装置５０８に比較結果を表示させる。表示装置５０８は、各種メッセージ（例えば、特定の波形を検出したことを示すメッセージ等）や、測定したデータの波形表示等を行う。操作部５０７は、各種データの入力（例えば、トリガレベルの設定値等）や検出するための指示（例えば、検出条件を立ち上がりポイントが検出されたこととすることや、立ち上がりポイントが検出され、かつ立ち下がりポイントが検出されたこととすること等）を受け付ける。また、操作部５０７は、測定したデータのうちからトリガレベルやトレンドデータの範囲を指定する操作を受け付け、ＣＰＵ５０５は、操作部５０７が受け付けたトリガレベルとトレンドデータの範囲とをＲＡＭ５０６に記憶させ、トリガレベルＤＢ５１とトレンドＤＢ５２とを生成する（図８に示した処理）。
【００４５】
本実施形態によれば、振動計測装置３０は、測定した振動レベルを時系列順に測定データＤＢ５３に記憶させ、表示装置５０８に表示された測定データ画像を形成するポイントのうち特定のポイントの指定を受け付け、受け付けたポイントに対応する測定データの値であるトリガレベルをトリガレベルＤＢ５１に記憶させ、さらに測定データ画像のうちの部分範囲の指定を受け付け、受け付けた部分範囲に対応する測定データであるトレンドデータをトレンドＤＢ５２に記憶させ、トリガレベルと、トレンドデータとに基づいて、測定データから特定の振動を検出する。したがって、振動計測装置３０は、騒音や振動の計測において、一定の現象だけを検出することが容易にできるような設定環境をユーザに提供することができる。
【００４６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４７】
３０    振動計測装置
３１    測定部
３２    測定データ記憶制御部
３３    表示制御部
３４    ポイント指定受付部
３５    トリガレベル記憶制御部
３６    範囲指定受付部
３７    トレンドデータ記憶制御部
３８    振動検出部
５１    トリガレベルＤＢ
５２    トレンドＤＢ
５３    測定データＤＢ
５０８  表示装置
５０９  操作部
【図１】
0005826060.tif 000002
【図２】
0005826060.tif 000003
【図３】
0005826060.tif 000004
【図４】
0005826060.tif 000005
【図５】
0005826060.tif 000006
【図６】
0005826060.tif 000007
【図７】
0005826060.tif 000008
【図８】
0005826060.tif 000009
【図９】
0005826060.tif 000010
【図１０】
0005826060.tif 000011
【図１１】
0005826060.tif 000012